(57)【要約】【課題】買い上げ商品情報の迅速な入力と誤入力の防止とを実現する登録画面を高い自由度をもって構成し、登録画面の操作者の利便に供すること。【解決手段】タッチパネル付きの表示部に、予め商品情報が割り当てられた複数のプリセットキー３０５ａ，３０５ｂ，３０５ｃを有する単品登録エリア３０５、及び、進行中の取引のレシートイメージを表示するレシートイメージ表示エリア３０６を、タッチパネルにてタッチ指定可能な最小領域の整数倍の大きさで表示する。そして、単品登録エリア３０５又はレシートイメージ表示エリア３０６のサイズの指定を受け付け、指定を受け付けたサイズに従い、単品登録エリア３０５及びレシートイメージ表示エリア３０６のサイズを相補的に変更する。【選択図】    図５
2011113307.tif 000002
【特許請求の範囲】
【請求項１】
表示画面上にタッチパネルを有する表示部と、
予め商品情報が割り当てられた複数の操作釦、及び、買い上げ商品情報として入力済みの商品情報を含むレシートイメージを、前記表示画面に表示する表示制御手段と、
前記タッチパネルが前記操作釦のタッチ操作を検知したとき、当該タッチ操作された操作釦に割り当てられた商品情報を前記買い上げ商品情報として入力する入力手段と、
前記複数の操作釦の表示領域又は前記レシートイメージの表示領域のサイズの指定を受け付ける受付手段と、
この受付手段にて指定を受け付けたサイズに従い、前記複数の操作釦の表示領域及び前記レシートイメージの表示領域のサイズを相補的に変更する変更制御手段と、
を備えていることを特徴とする商品情報入力装置。
【請求項２】
前記表示制御手段は、前記複数の操作釦及び前記レシートイメージを、前記タッチパネルへのタッチ操作にて指定可能な最小領域の整数倍の大きさで前記表示画面に表示させ、
前記受付手段は、前記複数の操作釦の表示領域及び前記レシートイメージの表示領域のサイズの指定を、前記最小領域の整数倍の大きさで受け付けることを特徴とする請求項１に記載の商品情報入力装置。
【請求項３】
前記複数の操作釦及び前記レシートイメージは、前記表示画面に設定された既定領域を満たして隣り合うように表示され、
前記変更制御手段は、前記既定領域内で前記複数の操作釦の表示領域及び前記レシートイメージの表示領域のサイズを相補的に変更することを特徴とする請求項１に記載の商品情報入力装置。
【請求項４】
前記変更制御手段は、前記受付手段にて指定を受け付けたサイズに従い、前記複数の操作釦の表示領域を縮小するとともに前記レシートイメージの表示領域を拡大する場合、前記レシートイメージの表示領域にて前記複数の操作釦の一部を覆い隠すことで前記複数の操作釦の表示領域及び前記レシートイメージの表示領域を相補的に変更することを特徴とする請求項１に記載の商品情報入力装置。
【請求項５】
前記レシートイメージにて前記操作釦の一部が覆い隠された場合、当該覆い隠された操作釦の表示領域を特定する情報を記憶する記憶手段をさらに備え、
前記入力手段は、前記記憶手段に記憶された情報に基づいて特定される表示領域のタッチ操作を受け付けないことを特徴とする請求項４に記載の商品情報入力装置。
【請求項６】
表示画面上にタッチパネルを有する表示部を備えた商品情報入力装置の制御プログラムであって、
前記商品情報入力装置に、
予め商品情報が割り当てられた複数の操作釦、及び、買い上げ商品情報として入力済みの商品情報を含むレシートイメージを、前記表示画面に表示する表示制御機能と、
前記タッチパネルが前記操作釦のタッチ操作を検知したとき、当該タッチ操作された操作釦に割り当てられた商品情報を前記買い上げ商品情報として入力する入力機能と、
前記複数の操作釦の表示領域又は前記レシートイメージの表示領域のサイズの指定を受け付ける受付機能と、
この受付機能にて指定を受け付けたサイズに従い、前記複数の操作釦の表示領域及び前記レシートイメージの表示領域のサイズを相補的に変更する変更制御機能と、
を実現させるための制御プログラム。
【発明の詳細な説明】
【技術分野】
【０００１】
本発明は、ＰＯＳ（Point Of Sales）端末等の商品販売データ処理装置として機能し、あるいは商品販売データ処理装置に接続され、入力インターフェイスを介して指定された商品の情報を商品販売データ処理装置に入力する商品情報入力装置およびその制御プログラムに関する。
【背景技術】
【０００２】
近年、オペレータである店員に向けて登録業務に関する種々の情報を表示するとともに置数キー等の操作キーを表示して、指先での各キーのタッチ操作を受け付けるタッチパネル付きの表示器を備えたＰＯＳ端末やＥＣＲ（Electric Cash Register）等の商品販売データ処理装置が普及している。
【０００３】
この種の商品販売データ処理装置の中には、バーコードスキャナ，キーボード，タッチパネル等のインターフェイスを介して入力された商品情報をオペレータが確認し易いように、前記表示器に表示される登録画面中にレシートイメージを表示するものが存在する（例えば、特許文献１）。このようにレシートイメージが表示されれば、オペレータは、入力された商品の金額や個数を容易に確認できるので、買い上げ商品情報の誤入力に気づき易くなる。
【０００４】
一方、スーパーマーケットやファーストフード店等の多数の店舗では、それぞれ特定の商品情報が割り当てられた複数のプリセットキーを前記登録画面に表示する商品販売データ処理装置が使用されている。この種の装置によれば、前記登録画面に表示されたプリセットキーをタッチ操作するだけで所望の商品情報が入力できるので、バーコードが付されていない商品を扱う場合であっても迅速な会計処理が可能となる。
【発明の概要】
【発明が解決しようとする課題】
【０００５】
通常、前記したような商品販売データ処理装置の登録画面のレイアウトは、当該装置のメーカーが提供する表示プログラムにて予め設定されている。すなわち、商品販売データ処理装置の出荷時には、所定数のプリセットキーの表示エリアやレシートイメージの表示エリアの配置が固定されていることになる。したがって、商品情報を入力する際にプリセットキーを使用する機会が少ない店舗では、実際には使用されない不要なプリセットキーが多く発生するので、限られた画面レイアウト上に無駄が生じてしまう。また、商品販売データ処理装置の出荷後にメーカーがメンテナンスを提供し、登録画面のレイアウトを変更するとなれば、店舗側およびメーカー側の双方にとって手間となる。
【０００６】
本発明は、上記のような事情に基づいてなされたものであり、その目的は、買い上げ商品情報の迅速な入力と誤入力の防止とを実現する登録画面を高い自由度をもって構成し、登録画面の操作者の利便に供することである。
【課題を解決するための手段】
【０００７】
上記課題を解決するため、本発明は、次のような手段を講じている。
【０００８】
本発明の第1の視点は、表示画面上にタッチパネルを有する表示部と、予め商品情報が割り当てられた複数の操作釦、及び、買い上げ商品情報として入力済みの商品情報を含むレシートイメージを、前記表示画面に表示する表示制御手段と、前記タッチパネルが前記操作釦のタッチ操作を検知したとき、当該タッチ操作された操作釦に割り当てられた商品情報を前記買い上げ商品情報として入力する入力手段と、前記複数の操作釦の表示領域又は前記レシートイメージの表示領域のサイズの指定を受け付ける受付手段と、この受付手段にて指定を受け付けたサイズに従い、前記複数の操作釦の表示領域及び前記レシートイメージの表示領域のサイズを相補的に変更する変更制御手段とを備えた商品販売データ処理装置本体やこの本体に接続される商品情報入力部等の商品情報入力装置である。
【０００９】
本発明の第２の視点は、前記商品情報入力装置の制御プログラムである。
【発明の効果】
【００１０】
かかる手段を講じた本発明によれば、買い上げ商品情報の迅速な入力と誤入力の防止とを実現する登録画面を高い自由度をもって構成し、登録画面の操作者の利便に供することができる。
【図面の簡単な説明】
【００１１】
【図１】本発明の一実施形態であるＰＯＳ端末が設置されたチェックアウトレーンの外観斜視図。
【図２】同ＰＯＳ端末の制御回路を示すブロック図。
【図３】同ＰＯＳ端末が備えるオペレータ用表示器の最小領域の説明図。
【図４】同表示器の画像データを構成するフラグデータの構造の一例を示す図。
【図５】同表示器に表示される登録画面の一例を示す模式図。
【図６】同表示器に表示されるレシートイメージのサイズ変更手順を示す流れ図。
【図７】同表示器に表示される登録画面の一例を示す模式図。
【図８】同表示器に表示される登録画面の一例を示す模式図。
【図９】同登録画面を用いた商品情報の入力手順を示す流れ図。
【図１０】本発明の変形例における登録画面の一例を示す模式図。
【発明を実施するための形態】
【００１２】
以下、本発明の一実施形態について、図面を参照しながら説明する。  
なお、本実施形態は、スーパーマーケット等のレジカウンタに設置され、装置本体と商品情報入力部とで構成される２人制のＰＯＳ端末（商品販売データ処理装置）に本発明を適用した一例である。
【００１３】
［全体構成］
図１は、当該ＰＯＳ端末が設置されたチェックアウトレーン１をオペレータである店員の立ち位置側から見た外観斜視図ある。  
このチェックアウトレーン１は、載置台２と、この載置台２の荷受面に載置された金銭収納用のドロワ３と、このドロワ３の上面に載置されたＰＯＳ端末の本体４と、買い物籠７の載置スペースを有し顧客の通路に沿って設けられたレジカウンタ５と、このレジカウンタ５の長手方向中心付近に立設された商品情報入力部６とで構成されている。なお、ＰＯＳ端末を構成する本体４および商品情報入力部６は、本実施形態における商品情報入力装置として機能する。
【００１４】
本体４は、商品登録の開始を宣言するＰＬＵ（Price Look Up）キー，商品登録の締めを宣言する小計キー，一商取引の締めを宣言する預り／現計キー等の操作キーにて構成されたキーボード１０と、オペレータの立ち位置側に表示面が向けられたＬＣＤ（Liquid Crystal Display）等のオペレータ用表示器１１と、このオペレータ用表示器１１の前面に設けられたタッチパネル１２と、客の立ち位置側に表示面が向けられたＶＦＤ（Vacuum Fluorescent Display）等の客用表示器１３と、取引の明細情報からなるレシートを印字するＲＪ（レシート・ジャーナル）プリンタ１４と、クレジットカードやポイントカードからカード情報を読取るカードリーダ１５とを備えている。
【００１５】
商品情報入力部６は、置数キー等で構成されるキーボード２０と、オペレータの立ち位置側に表示面が向けられたＬＣＤ等のオペレータ用表示器２１と、このオペレータ用表示器２１の前面に設けられたタッチパネル２２と、顧客の立ち位置側に表示面が向けられたＶＦＤ等の客用表示器２３と、オペレータ側の立設面に設けられた読取窓に翳されたバーコードを読み取る縦型スキャナ２４と、この縦型スキャナ２４の読取窓に翳せない商品に付されたバーコードを読取る際に使用する手持式スキャナ２５とを備えている。なお、オペレータ用表示器２１は、本実施形態における表示部として機能する。
【００１６】
このような構成のチェックアウトレーン１では、主に買い上げ商品の商品情報の入力を担当するオペレータが商品情報入力部６を操作し、顧客との金銭あるいはカードの授受を担当するオペレータが本体４を操作する。
【００１７】
［制御回路］  
次に、本体４および商品情報入力部６の制御回路について説明する。  
図２は、本体４および商品情報入力部６の制御回路を示すブロック図である。本体４の制御回路は、制御の中枢として機能するＣＰＵ（Central Processing Unit）１００を備えている。そして、このＣＰＵ１００に対して、固定的データを記憶したＲＯＭ（Read Only Memory）１０１と、メインメモリとして機能するＲＡＭ（Random Access Memory）１０２と、ストアサーバ等の上位機器との通信を制御する通信Ｉ／Ｆ（Interface）１０３と、ＨＤＤ（Hard Disk Drive）１０４と、商品情報入力部６との通信を制御する接続Ｉ／Ｆ１０５と、前記キーボード１０，オペレータ用表示器１１，タッチパネル１２，客用表示器１３，ＲＪプリンタ１４，およびカードリーダ１５とが、アドレスバスやデータバス等のバスラインにて接続されている。
【００１８】
一方、商品情報入力部６の制御回路は、制御の中枢として機能するＣＰＵ２００を備えている。そして、このＣＰＵ２００に対して、固定的データを記憶したＲＯＭ２０１と、メインメモリとして機能するＲＡＭ２０２と、本体４との通信を制御する接続Ｉ／Ｆ２０３と、前記キーボード２０，オペレータ用表示器２１，タッチパネル２２，客用表示器２３，縦型スキャナ２４，および手持式スキャナ２５とが、アドレスバスやデータバス等のバスラインにて接続されている。
【００１９】
本体４のＲＡＭ１０２には、商品登録業務を行うにあたり、商品情報入力部６にて縦型スキャナ２４，手持式スキャナ２５，キーボード２０，またはオペレータ用表示器２１を介して入力された買い上げ商品情報を登録する商品情報登録エリア１１０が形成される。
【００２０】
ＨＤＤ１０４には、ＯＳ（Operating System）ファイルや商品登録業務用のアプリケーションファイル等のＰＯＳ端末としての機能を発揮するために必要なデータの他に、商品情報入力部６のオペレータ用表示器２１に表示される登録画面の画面データ１１１が記憶されている。画面データ１１１は、エリアデータ１１２と、表示位置指定データ１１３と、位置特定データ１１４と、フラグデータ１１５とで構成されている。
【００２１】
エリアデータ１１２は、画面タイトル等を表示するタイトルエリア，直前に商品情報登録エリア１１０に登録された買い上げ商品情報を表示するカレントエリア，処理中の取引内にて登録された買い上げ商品情報の合計金額等を表示する合計金額等表示エリア，商品のカテゴリを指定する操作キーを表示するカテゴリエリア，カテゴリエリアにて指定されたカテゴリに属する商品のプリセットキーを表示する単品登録エリア，処理中の取引のレシートイメージを表示するレシートイメージ表示エリア等の画面部品のイメージにて構成されている。このような画面部品の中で、単品登録エリアとレシートイメージ表示エリアとは、図３に示すように商品情報入力部６のオペレータ用表示器２１の表示画面をＰ（整数：Ｐ＞０）行，Ｑ（整数：Ｑ＞０）列に分割した際に一つのセルを構成する領域の整数倍の大きさに調整されている。前記セルを、タッチパネル２２にてタッチ指定可能な最小領域ｍａ（幅Ｗ×高さＨ）として定義する。
【００２２】
表示位置指定データ１１３は、オペレータ用表示器２１の表示画面にエリアデータ１１２を構成する各画面部品を表示する位置を指定する座標データにて構成されている。この座標データは、例えば矩形の画面部品を表示する場合にあっては、当該画面部品の左上端，左下段，右上段，右下段の４点を指定する情報である。
【００２３】
位置特定データ１１４は、オペレータ用表示器２１に表示されたプリセットキー等の操作キーの表示領域に対し、各操作キーの表示位置がタッチ操作された場合に実行すべき動作に関する情報を関連付けて構成されている。
【００２４】
フラグデータ１１５のデータ構造の一例を、図４に示している。フラグデータ１１５は、図３に示したように分割された表示画面の左上のセルを座標（ｍ＝１，ｎ＝１）とした場合における各座標（ｍ＝１〜Ｐ，ｎ＝１〜Ｑ）のそれぞれに対し、“０”または“１”にセットされるフラグＦを関連付けたデータである。フラグＦは、タイトルエリア，カレントエリア，合計金額等表示エリア，レシートイメージ表示エリアのようにタッチパネル２２によるタッチ指定を受け付ける必要がないセルについては“１”にセットされ、単品登録エリアのようにタッチ指定を受け付ける必要があるセルについては“０”にセットされる。なお、フラグデータ１１５は、本実施形態における記憶手段として機能する。
【００２５】
かかる構造の画面データ１１１の内容に変更が生じると、画面データ１１１の全てあるいは変更箇所の差分データが本体４から接続Ｉ／Ｆ１０５，２０３を介して商品情報入力部６に送信される。商品情報入力部６のＣＰＵ２００は、本体４から受信した画面データ１１１をＲＡＭ２０２に記憶し、当該画面データ１１１に基づく登録画面をオペレータ用表示器２１に表示させる。
【００２６】
なお、本体４のＣＰＵ１００および商品情報入力部６のＣＰＵ２００は、所定の動作プログラムを実行することにより、当該ＰＯＳ端末に以下の主要な機能を実現させる。  
（１）予め商品情報が割り当てられた複数のプリセットキー、及び、買い上げ商品情報として入力済みの商品情報を含むレシートイメージを、オペレータ用表示器２１の表示画面に表示する表示制御機能。本実施形態では、プリセットキー及びレシートイメージを、これらの表示領域として用意された既定領域を満たして隣り合うように、タッチパネル２２へのタッチ操作にて指定可能な最小領域ｍａの整数倍の大きさでオペレータ用表示器２１の表示画面に表示させる。  
（２）タッチパネル２２がプリセットキーのタッチ操作を検知したとき、当該タッチ操作されたプリセットキーに割り当てられた商品情報を買い上げ商品情報として入力する入力機能。この機能により入力された商品情報は、ＲＡＭ１０２の商品情報登録エリア１１０に登録される。  
（３）単品登録エリアまたはレシートイメージのサイズの指定を受け付ける受付機能。本実施形態においては、特にタッチパネル２２へのタッチ操作にて指定可能な最小領域ｍａの整数倍の大きさでレシートイメージのサイズの指定を受け付ける。  
（４）受付機能にて指定を受け付けたサイズに従い、単品登録エリアおよびレシートイメージのサイズを相補的に変更する変更制御機能。
【００２７】
上記（１）の表示制御機能によりオペレータ用表示器２１に表示される登録画面の一例を、図５に示している。この登録画面３００は、画面上部に配置されたタイトルエリア３０１と、画面下部の左側に配置されたカレントエリア３０２と、画面下部の右側に配置された合計金額等表示エリア３０３と、画面中腹の右端に配置されたカテゴリエリア３０４と、画面中腹であってカテゴリエリア３０４に隣接する位置に配置された単品登録エリア３０５と、画面中腹であって単品登録エリア３０５の左端に隣接する位置に配置されたレシートイメージ表示エリア３０６とで構成されている。
【００２８】
カテゴリエリア３０４には、“特売品”，“野菜”，“くだもの”，“惣菜”等の商品のカテゴリを表示するカテゴリキー３０４ａが表示されている。単品登録エリア３０５には、カテゴリキー３０４ａにて指定されたカテゴリに応じて、“トマト”，“きゅうり”，“にんじん”，“じゃがいも”等の商品画像付きのプリセットキー３０５ａと、“ゴーヤ”，“生姜”，“にら”，“エリンギ”等の商品画像無しのプリセットキー３０５ｂおよび“有機泥付きねぎ”，“ネギ洗いカット”等のプリセットキー３０５ｃとが表示される。単品登録エリア３０５に表示される各プリセットキーは、いずれも前記最小領域ｍａの整数倍に設定されている。図５に示した例では、各プリセットキー３０５ａを最小領域ｍａの１６倍（４行×４列）で表示し、各プリセットキー３０５ｂを最小領域ｍａの４倍（２行×２列）で表示し、各プリセットキー３０５ｃを最小領域ｍａの８倍（２行×４列）で表示している。
【００２９】
レシートイメージ表示エリア３０６には、商品情報登録エリア１１０に登録された商品情報毎に、各商品の名称，買上点数，価格が表示される。レシートイメージ表示エリア３０６は、各プリセットキーと同じく、前記最小領域ｍａの整数倍に設定されている。図５に示した例では、最小領域ｍａの６４倍（１６行×４列）で表示している。
【００３０】
なお、単品登録エリア３０５とレシートイメージ表示エリア３０６とを合わせた表示領域は、最小領域ｍａの３２０倍（１６行×２０列）に固定されている（既定領域）。後述の動作では、単品登録エリア３０５とレシートイメージ表示エリア３０６とを合わせた表示領域がこの既定領域を満たし、かつ、この既定領域を超えない範囲内で単品登録エリア３０５およびレシートイメージ表示エリア３０６の表示領域が調整される。
【００３１】
［動作］  
次に、本発明に関わる本体４および商品情報入力部６の動作について説明する。  
オペレータは、本体４のキーボード１０またはタッチパネル１２を操作してオペレータ用表示器１１にメンテナンスメニューを表示させ、登録画面３００のレシートイメージ表示エリア３０６のサイズを最小領域ｍａの整数倍で変更することができる。この変更に際して本体４のＣＰＵ１００および商品情報入力部６のＣＰＵ２００が実行する処理について、図６の流れ図を用いて説明する。
【００３２】
先ず、本体４のＣＰＵ１００は、レシートイメージ表示エリア３０６の幅の指定を待ち受ける（ステップＳ１０１，Ｓ１０２）。このときオペレータは、本体４のキーボード１０やタッチパネル１２を操作してレシートイメージ表示エリア３０６の幅を指定することができる。この指定は、例えば予め大（幅１２Ｗ），中（幅８Ｗ），小（幅４Ｗ）のように複数段階の幅を既定するデータをＲＯＭ１０１やＨＤＤ１０４に記憶しておき、その中からオペレータの指定を受け付けるようにしてもよいし、オペレータがキーボード１０またはタッチパネル１２を介して最小領域ｍａの整数倍となるようにレシートイメージ表示エリア３０６の幅を入力するようにしてもよい。
【００３３】
上記のような方法によってレシートイメージ表示エリア３０６の幅が指定されたならば（ステップＳ１０２のＹｅｓ）、ＣＰＵ１００は、表示位置指定データ１１３に登録されたレシートイメージ表示エリア３０６の右上端および右下段の表示位置を、指定を受け付けた幅に合わせて調整する（ステップＳ１０３）。
【００３４】
さらに、ＣＰＵ１００は、エリアデータ１１２に登録された単品登録エリア３０５およびレシートイメージ表示エリア３０６を表示位置指定データ１１３に従ってオペレータ用表示器２１に表示した場合に、レシートイメージ表示エリア３０６と単品登録エリア３０５とが重複する領域を特定し、フラグデータ１１５中の該当する領域に相当する箇所に登録されたフラグＦを“１”にセットする（ステップＳ１０４）。なお、前記重複する領域以外の領域に相当する箇所に登録されたフラグＦは、“０”にセットする。このようにフラグＦを更新した後、ＣＰＵ１００は、接続Ｉ／Ｆ１０５，２０３を介して画面データ１１１を商品情報入力部６に送信する。本体４から画面データ１１１を受信すると、商品情報入力部６のＣＰＵ２００は、受信した画面データ１１１をＲＡＭ２０２に記憶し、この画面データ１１１を構成するエリアデータ１１２および表示位置指定データ１１３を用いてオペレータ用表示器２１に表示された登録画面を更新する（ステップＳ１０５）。以上で、一連の変更処理を終了する。
【００３５】
上記レシートイメージ表示エリア３０６のサイズの変更処理を経た結果、商品情報入力部６のオペレータ用表示器２１に表示される登録画面の一例を図７，図８に示している。図７は、図５に示した登録画面３００のレシートイメージ表示エリア３０６の幅を、最小領域ｍａの幅Ｗの８倍に広げた例であり、図８は、図５に示した登録画面３００のレシートイメージ表示エリア３０６の幅を、最小領域ｍａの幅Ｗの１２倍に広げた例である。
【００３６】
図７に示した登録画面３００では、レシートイメージ表示エリア３０６の幅を広げたことによって、単品登録エリア３０５の左端から最小領域ｍａの４列分に相当する箇所がレシートイメージ表示エリア３０６で覆い隠されている。その結果、フラグデータ１１５中の当該４列分に相当する箇所のフラグＦが“１”にセットされる。また、レシートイメージ表示エリア３０６の幅が広がったことにより、図５に示した登録画面３００では２段に渡って表示されていた買い上げ商品情報が最下段を除いて１段で表示されている。
【００３７】
図８に示した登録画面３００では、レシートイメージ表示エリア３０６の幅を広げたことによって、単品登録エリア３０５の左端から最小領域ｍａの８列分に相当する箇所がレシートイメージ表示エリア３０６で覆い隠されている。その結果、フラグデータ１１５中の当該８列分に相当する箇所のフラグＦが“１”にセットされる。また、レシートイメージ表示エリア３０６の幅が広がったことにより、図５に示した登録画面３００では２段に渡って表示されていた買い上げ商品情報の全てが１段で表示されている。
【００３８】
このように単品登録エリア３０５を覆い隠すようにレシートイメージ表示エリア３０６の幅を変更させることで、単品登録エリア３０５とレシートイメージ表示エリア３０６とを合わせた表示領域は、前記既定領域を満たし、かつ、この既定領域を超えない範囲内で変更されることになる。
【００３９】
図７，図８に示した登録画面３００のレシートイメージ表示エリア３０６のように、２段で表示されていた買い上げ商品情報が１段で表示されれば、より多くの買い上げ商品情報が一括して当該エリア３０６内に表示できるので、オペレータは誤操作に気づき易くなる。
【００４０】
次に、登録画面３００を用いて商品情報を入力するに際し、本体４のＣＰＵ１００および商品情報入力部６のＣＰＵ２００が実行する処理について、図９の流れ図を用いて説明する。  
商品登録業務の実行中において、商品情報入力部６のＣＰＵ２００は、オペレータ用表示器２１に登録画面３００を表示し、タッチパネル２２のタッチ操作を待ち受けている（ステップＳ２０１，Ｓ２０２）。このときオペレータがタッチパネル２２をタッチ操作したならば（ステップＳ２０２のＹｅｓ）、ＣＰＵ２００は、タッチ操作された最小領域ｍａの位置（行ｍ，列ｎ）を特定し、特定した位置（行ｍ，列ｎ）に対するフラグＦの値をＲＡＭ２０２に記憶したフラグデータ１１５から特定する（ステップＳ２０３）。しかる後、ＣＰＵ２００は、特定したフラグＦの値が“１”または“０”のいずれであるかを判定する（ステップＳ２０４）。
【００４１】
特定したフラグＦの値が“０”である場合（ステップＳ２０４の“Ｆ＝０”）、タッチ操作された領域には、カテゴリキー３０４ａ，プリセットキー３０５ａ，３０５ｂ，３０５ｃ等のタッチ操作可能な操作キーが表示されている。したがって、ＣＰＵ２００は、位置特定データ１１４から当該領域に関連付けられた情報を特定し、特定した情報に基づく動作を実行する。すなわち、カテゴリキー３０４ａのいずれかが操作されている場合には、操作されたカテゴリキー３０４ａが示すカテゴリに応じて単品登録エリア３０５に表示するプリセットキー３０５ａ，３０５ｂ，３０５ｃを変更し、プリセットキー３０５ａ，３０５ｂ，３０５ｃのいずれかが操作されている場合には、接続Ｉ／Ｆ２０３，１０５を介して操作されたプリセットキーに関連付けられた商品情報を、買い上げ商品情報として本体４に入力する（ステップＳ２０５）。このように操作キーに応じた処理を実行した後、ＣＰＵ２００は、次のタッチパネル２２のタッチ操作を待ち受ける（ステップＳ２０１）。
【００４２】
一方、特定したフラグＦの値が“１”である場合（ステップＳ２０４の“Ｆ＝１”）、そのタッチ操作された領域は、カテゴリエリア３０４または単品登録エリア３０５以外の領域であるか、単品登録エリア３０５の表示領域ではあるが、レシートイメージ表示エリア３０６に覆い隠されて実際には画面上に表示されていない領域である。このような場合、当該タッチ操作は誤操作であるため、ＣＰＵ２００は、ステップＳ２０５の処理を経ずに、次のタッチパネル２２のタッチ操作を待ち受ける（ステップＳ２０１）。
【００４３】
なお、周知の如く、縦型スキャナ２４や手持式スキャナ２５にて商品に付されたバーコードが読取られた場合には、接続Ｉ／Ｆ２０３，１０５を介して読取った情報を買い上げ商品情報として本体４に入力する。このようにして本体４に買い上げ商品情報が入力されると、本体４のＣＰＵ１００は、入力された買い上げ商品情報をＲＡＭ１０２の商品情報登録エリア１１０に登録し、カレントエリア３０２，合計金額等表示エリア３０３，レシートイメージ表示エリア３０６に表示すべき情報を商品情報入力部６に送信する。この情報を受信したとき、商品情報入力部６は、該情報を用いて登録画面３００の各部の表示内容を更新する。すなわち、直前に入力された買い上げ商品情報をカレントエリア３０２に表示し、合計金額等表示エリア３０３の合計点数や合計金額を更新し、レシートイメージ表示エリア３０６に直前に入力された買い上げ商品情報を追加する。
【００４４】
オペレータが顧客の買い上げ商品の全てについて商品情報を入力し終えたならば、周知の如く、本体４のキーボード１０または商品情報入力部６のキーボード２０を操作して商取引を完結させる。商取引が完結すると、商品情報登録エリア１１０に登録された買い上げ商品情報がクリアされ、それに伴い登録画面３００のレシートイメージ表示エリア３０６から買い上げ商品情報が消去される。
【００４５】
以上説明したように、本実施形態におけるＰＯＳ端末は、プリセットキーおよびレシートイメージをオペレータ用表示器２１に表示し、レシートイメージの表示幅の指定を受け付け、指定を受け付けた幅に従って単品登録エリア３０５およびレシートイメージ表示エリア３０６の幅を相補的に変更する。この機能を用いることで、例えば縦型スキャナ２４や手持式スキャナ２５を用いて商品情報を入力する機会が多い場合にはレシートイメージ表示エリア３０６を大きく単品登録エリア３０５を小さく表示できるし、プリセットキーを用いて商品情報を入力する機会が多い場合にはレシートイメージ表示エリア３０６を小さく単品登録エリア３０５を大きく表示できる。すなわち、プリセットキーによる買い上げ商品情報の迅速な入力と、レシートイメージによる誤入力の防止とを実現する登録画面を高い自由度をもって構成し、登録画面の操作者の利便に供することができる。
【００４６】
また、当該ＰＯＳ端末は、単品登録エリア３０５およびレシートイメージ表示エリア３０６をタッチパネル２２にてタッチ指定可能な最小領域ｍａの整数倍の大きさで登録画面３００に表示させ、両エリア３０５，３０６のサイズを前記最小領域ｍａの整数倍の大きさで調整する。このようにすれば、単品登録エリア３０５とレシートイメージ表示エリア３０６との境界が最小領域ｍａに跨ることがないので、一部が登録画面３００上に表示されているにも関わらず操作できないようなプリセットキーが生じることがない。
【００４７】
また、当該ＰＯＳ端末は、単品登録エリア３０５およびレシートイメージ表示エリア３０６のサイズを、前記既定領域を満たしつつ相補的に変更する。したがって、レシートイメージ表示エリア３０６のサイズを増減させれば、必ずその増減分だけ単品登録エリア３０５のサイズが増減されるので両エリア３０５，３０６の関係が明確となり、オペレータにとっては変更処理が容易となる。
【００４８】
また、当該ＰＯＳ端末は、レシートイメージ表示エリア３０６を拡大し、単品登録エリア３０５を縮小させる場合に、単品登録エリア３０５の一部をレシートイメージ表示エリア３０６で覆い隠すようにして、両エリア３０５，３０６のサイズを変更する。このようにすれば、単品登録エリア３０５のエリアデータ１１２自体には何ら変更を加える必要がないので、サイズの変更に要するＣＰＵ１００，２００の処理時間が短縮される。さらに、各プリセットキーの登録画面３００全体における位置・大きさ・範囲は変更されないので、単品登録エリア３０５中のプリセットキーの位置を記憶して操作している熟練のオペレータにとっても使い勝手がよい。
【００４９】
また、当該ＰＯＳ端末は、レシートイメージにてプリセットキーの一部が覆い隠された場合、当該覆い隠された領域のフラグＦを“１”にセットし、当該領域に対するタッチ操作を受け付けない。したがって、登録画面３００中のレシートイメージが誤ってタッチ操作された場合であっても、レシートイメージに覆い隠されたプリセットキーに割り当てられた商品情報が買い上げ商品情報として入力されることはない。
【００５０】
なお、本発明は前記実施形態そのままに限定されるものではなく、実施段階ではその要旨を逸脱しない範囲で構成要素を変形して具体化できる。
【００５１】
例えば、前記実施形態では、本発明を２人制のＰＯＳ端末に適用し、商品情報入力部６のオペレータ用表示器２１に表示される登録画面３００の表示内容を変更する場合について説明した。しかしながら、本発明の適用対象はこれに限られるものではなく、例えば商品情報入力部を備えず、ＰＯＳ端末本体に手持式スキャナ等の買い上げ商品情報の入力インターフェイスが設けられた１人制のＰＯＳ端末に適用してもよい。この場合には、ＰＯＳ端末本体に設けられたオペレータ用表示器に前記実施形態に開示した登録画面３００を表示させる。また、商品情報入力部６を備えるＰＯＳ端末であっても、本体４のオペレータ用表示器１１に登録画面３００を表示させてもよい。
【００５２】
また、前記実施形態では、レシートイメージ表示エリア３０６の幅の指定を受け付け、指定を受け付けた幅に従ってレシートイメージ表示エリア３０６のサイズを変更する場合について説明した。しかしながら、単品登録エリア３０５の幅の指定を受け付け、指定を受け付けた幅に従って単品登録エリア３０５のサイズを増減させ、増減させた領域分だけレシートイメージ表示エリア３０６のサイズを増減させてもよい。このようにした場合であっても、単品登録エリア３０５およびレシートイメージ表示エリア３０６は既定領域内で相補的に調整されるため、レシートイメージ表示エリア３０６の幅の指定を受け付けて変更する場合と同様の効果を奏する。また、幅のみの指定を受け付けるのではなく、単品登録エリア３０５またはレシートイメージ表示エリア３０６の高さを含めたサイズの指定を受け付け、受け付けたサイズに従って単品登録エリア３０５およびレシートイメージ表示エリア３０６の高さおよび幅を変更するようにしてもよい。
【００５３】
また、前記実施形態においては、レシートイメージ表示エリア３０６のサイズを拡大する際に、単品登録エリア３０５の一部を覆い隠すとした。しかしながら、単品登録エリア３０５の一部を覆い隠すのではなく、単品登録エリア３０５を縮小することでレシートイメージ表示エリア３０６の拡大分の領域を補うようにしてもよい。この変形例における登録画面３００の一例を、図１０に示している。この登録画面３００は、図５に示した登録画面３００のレシートイメージ表示エリア３０６の幅を、最小領域ｍａの幅Ｗの８倍に広げた例である。ここでは、プリセットキー３０５ａのサイズを最小領域ｍａの１２倍（４行×３列）に縮小し、プリセットキー３０５ｂの未使用部分を消去し、プリセットキー３０５ｃのサイズを最小領域ｍａの６倍（２行×３列）に縮小している。このようにプリセットキーの表示サイズを縮小し、未使用部分を消去することにより、前記実施形態ではレシートイメージ表示エリア３０６にて覆い隠されていたプリセットキーが登録画面３００上に表示されるようになっている。したがって、レシートイメージ表示エリア３０６のサイズを拡大した場合であっても、使用できなくなるプリセットキーが生じない。
【００５４】
この他、上記実施形態に開示されている複数の構成要素の適宜な組み合わせにより、種々の発明を形成できる。例えば、前記実施形態に示される全構成要素から幾つかの構成要素を削除してもよい。さらに、要旨を逸脱しない範囲内にて周知技術や慣用技術を適宜組み合わせてもよい。
【符号の説明】
【００５５】
４…本体、６…商品情報入力部、２１…オペレータ用表示器、２２…タッチパネル、３００…登録画面、３０１…タイトルエリア、３０２…カレントエリア、３０３…合計金額等表示エリア、３０４…カテゴリエリア、３０４ａ…カテゴリキー、３０５…単品登録エリア、３０５ａ，３０５ｂ，３０５ｃ…プリセットキー、３０６…レシートイメージ表示エリア
【先行技術文献】
【特許文献】
【００５６】
【特許文献１】特開２００３−１０９１２１号公報
【図１】
2011113307.tif 000003
【図２】
2011113307.tif 000004
【図３】
2011113307.tif 000005
【図４】
2011113307.tif 000006
【図５】
2011113307.tif 000007
【図６】
2011113307.tif 000008
【図７】
2011113307.tif 000009
【図８】
2011113307.tif 000010
【図９】
2011113307.tif 000011
【図１０】
2011113307.tif 000012